(57)【特許請求の範囲】
【請求項１】
動画撮影モードと静止画撮影モードとを含む複数の撮影モードのいずれかを設定するモード設定手段と、
ユーザーの操作に応じて、シャッター速度として設定可能な値の段数を複数の露出設定ステップのいずれかに設定する露出ステップ設定手段と、
前記動画撮影モードにおいて撮影される動画のフレームレートを設定するフレームレート設定手段と、
前記露出ステップ設定手段によって設定された段数に基づいてシャッター速度を設定するシャッター速度設定手段と、
前記動画撮影モードの場合に、前記フレームレート設定手段によって設定されたフレームレートの逆数であって、前記露出ステップ設定手段によって設定された段数に則っていないシャッター速度を設定できるように制御する制御手段と、
を有すること特徴とする撮像装置。
【請求項２】
前記制御手段は、前記フレームレート設定手段によってフレームレートが変更された際、設定されたシャッター速度が前記フレームレートの逆数よりも長秒側であると、前記露出設定ステップの設定に拘わらず、前記シャッター速度を前記フレームレートの逆数であるシャッター速度に強制的に変更するように制御することを特徴とする請求項１に記載の撮像装置。
【請求項３】
前記静止画撮影モードにおいては、前記フレームレート設定手段によって設定されたフレームレートの逆数であって、前記露出ステップ設定手段によって設定された段数に則っていないシャッター速度は設定できないことを特徴とする請求項１又は２に記載の撮像装置。
【請求項４】
前記制御手段は、前記撮像装置が動画記録可能な状態から動画記録不可能な状態に遷移した際に設定されているシャッター速度が、前記露出設定ステップの段数の幅で設定可能なシャッター速度でないと、前記シャッター速度を前記露出設定ステップの段数の幅で設定可能なシャッター速度に強制的に変更するように制御することを特徴とする請求項１乃至３のいずれか１項に記載の撮像装置。
【請求項５】
前記制御手段は、前記撮像装置が動画記録可能な状態であると、前記露出設定ステップの設定に拘わらず、１／４段でシャッター速度の設定を行うことを特徴とする請求項１乃至４のいずれか１項に記載の撮像装置。
【請求項６】
前記制御手段は、前記撮像装置が動画記録不可能な状態であると、前記露出設定ステップの設定に応じて前記シャッター速度の設定を行うことを特徴とする請求項５に記載の撮像装置。
【請求項７】
前記露出ステップ設定手段は、１／３段、１／２段、および１段のいずれかが設定可能であることを特徴とする請求項１乃至６のいずれか１項に記載の撮像装置。
【請求項８】
動画撮影モードと静止画撮影モードとを含む複数の撮影モードのいずれかを設定するモード設定手段と、
ユーザーの操作に応じて、シャッター速度として設定可能な値の段数を複数の露出設定ステップのいずれかに設定する露出ステップ設定手段と、
前記動画撮影モードにおいて撮影される動画のフレームレートを設定するフレームレート設定手段と、
前記静止画撮影モードの場合に、前記露出ステップ設定手段によって設定された段数に基づいてシャッター速度を設定し、前記動画撮影モードの場合に、前記露出ステップ設定手段によって設定された段数ではなく、前記フレームレート設定手段によって設定されたフレームレートの逆数をシャッター速度として設定可能な段数に基づいてシャッター速度を設定するシャッター速度設定手段と、
を有すること特徴とする撮像装置。
【請求項９】
撮像装置の制御方法であって、
動画撮影モードと静止画撮影モードとを含む複数の撮影モードのいずれかを設定するモード設定工程と、
ユーザーの操作に応じて、シャッター速度として設定可能な値の段数を複数の露出設定ステップのいずれかに設定する露出ステップ設定工程と、
前記動画撮影モードにおいて撮影される動画のフレームレートを設定するフレームレート設定工程と、
前記露出ステップ設定工程で設定された段数に基づいてシャッター速度を設定するシャッター速度設定工程と、
前記動画撮影モードの場合に、前記フレームレート設定工程で設定されたフレームレートの逆数であって、前記露出ステップ設定工程で設定された段数に則っていないシャッター速度を設定できるように制御する制御工程と、
を有すること特徴とする制御方法。
【請求項１０】
撮像装置の制御方法であって、
動画撮影モードと静止画撮影モードとを含む複数の撮影モードのいずれかを設定するモード設定工程と、
ユーザーの操作に応じて、シャッター速度として設定可能な値の段数を複数の露出設定ステップのいずれかに設定する露出ステップ設定工程と、
前記動画撮影モードにおいて撮影される動画のフレームレートを設定するフレームレート設定工程と、
前記静止画撮影モードの場合に、前記露出ステップ設定工程で設定された段数に基づいてシャッター速度を設定し、前記動画撮影モードの場合に、前記露出ステップ設定工程で設定された段数ではなく、前記フレームレート設定工程で設定されたフレームレートの逆数をシャッター速度として設定可能な段数に基づいてシャッター速度を設定するシャッター速度設定工程と、
を有すること特徴とする制御方法。
【請求項１１】
コンピュータを、請求項１乃至８のいずれか１項に記載された撮像装置の各手段として機能させるためのプログラム。
【請求項１２】
コンピュータを、請求項１乃至８のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、およびプログラム、並びに記憶媒体に関し、特に、静止画撮影および動画記録の際のシャッター速度の設定手法に関する。
【背景技術】
【０００２】
従来、デジタルカメラなどの撮像装置においては、シャッター速度を、例えば、１／８０００〜３０秒までの間で露出段（露出ステップ）に応じた刻みで設定変更することか可能である。
【０００３】
例えば、シャッター速度の設定を行う際、動画のフレームレートとシャッター速度とを関連づけてその設定を容易する手法として、静止画の際に設定したシャッター速度に基づいてフレームレートを決定するようにした手法がある（特許文献１参照）。
【先行技術文献】
【特許文献】
【０００４】
【特許文献１】特開２００８−３０１２８６号公報
【発明の概要】
【発明が解決しようとする課題】
【０００５】
ところで、動画撮影の際のシャッター速度は、フレームレートの逆数（動画の１フレームに要する時間）よりも長くすることはできない。つまり、動画撮影におけるシャッター速度の下限値（長秒側の限界値）は、フレームレートの逆数までとなる。
【０００６】
ところが、露出ステップが１／２段設定又は１段設定である場合、露出値の設定可能値にフレームレートの逆数に近い値が存在しないことがある。例えば、フレームレートが２５ｆｐｓである場合、動画撮影におけるシャッター速度の下限値（長秒側の限界値）は１／２５である。一方、露出ステップが１／２段設定においては１／２５秒という設定値はなく、当該設定値に最も近い短秒側の設定可能値は１／３０である。
【０００７】
このため、できる限りシャッター速度を長くしたい場合においても、動画撮影におけるシャッター速度の下限値（長秒側の限界値）までシャッター速度を設定することができない。つまり、シャッター速度を、当該下限値よりもやや短いシャッター速度に設定することが限界である。
【０００８】
そこで、本発明の目的は、静止画撮影のシャッター速度を設定するための露出ステップに拘わらず、動画撮影におけるシャッター速度を、長秒側の限界値により近い速度まで設定可能な撮像装置、その制御方法、およびプログラム、並びに記憶媒体を提供することにある。
【課題を解決するための手段】
【０００９】
上記の目的を達成決するため、本発明による撮像装置は、動画撮影モードと静止画撮影モードとを含む複数の撮影モードのいずれかを設定するモード設定手段と、ユーザーの操作に応じて、シャッター速度として設定可能な値の段数を複数の露出設定ステップのいずれかに設定する露出ステップ設定手段と、前記動画撮影モードにおいて撮影される動画のフレームレートを設定するフレームレート設定手段と、前記露出ステップ設定手段によって設定された段数に基づいてシャッター速度を設定するシャッター速度設定手段と、前記動画撮影モードの場合に、前記フレームレート設定手段によって設定されたフレームレートの逆数であって、前記露出ステップ設定手段によって設定された段数に則っていないシャッター速度を設定できるように制御する制御手段と、を有すること特徴とする。
【発明の効果】
【００１０】
本発明によれば、静止画撮影のシャッター速度を設定するための露出設定ステップに関わらず、動画撮影におけるシャッター速度として、長秒側の限界値により近い値を設定することができる。
【図面の簡単な説明】
【００１１】
【図１】本発明の第１の実施形態による撮像装置の一例についてその構成を示すブロック図である。
【図２】図１に示すカメラ本体の外観を示す斜視図であり、（ａ）はカメラ本体を正面から示す斜視図、（ｂ）はカメラ本体を背面から示す斜視図である。
【図３Ａ】図１に示すカメラで行われる撮影モード処理を説明するためのフローチャートである（その１）。
【図３Ｂ】図１に示すカメラで行われる撮影モード処理を説明するためのフローチャートである（その２）。
【図４】図１に示す表示部に表示される設定画面を説明するための図であり、（ａ）は露出設定ステップの設定画面を示す図、（ｂ）は動画記録サイズの設定画面を示す図である。
【図５】露出設定ステップ設定画面で設定可能なシャッター速度の設定値を説明するための図であり、（ａ）は１／３段刻みで設定可能なシャッター速度の設定値の一覧を示す図、（ｂ）は１／２段刻みで設定可能なシャッター速度の設定値の一覧を示す図、（ｃ）は１段刻みで設定可能なシャッター速度の設定値の一覧を示す図である。
【図６】図３Ａおよび図３Ｂに示すシャッター速度設定表示更新による表示を説明するための図であり、（ａ）は第１の例を示す図、（ｂ）は第２の例を示す図、（ｃ）は第３の例を示す図である。
【図７】図３Ａおよび図３Ｂに示すシャッター速度チェック処理を説明するためのフローチャートである。
【図８】図３Ａおよび図３Ｂに示すシャッター速度変更処理を説明するためのフローチャートである。
【図９Ａ】本発明の第２の実施形態によるカメラで行われる撮影モード処理を説明するためのフローチャートである（その１）。
【図９Ｂ】本発明の第２の実施形態によるカメラで行われる撮影モード処理を説明するためのフローチャートである（その２）。
【図１０】図９Ａに示す１／４段刻みのシャッター速度変更処理を説明するためのフローチャートである。
【図１１】１／４段刻みでシャッター速度の変更を行う際に用いられるテーブルの一例を示す図である。
【発明を実施するための形態】
【００１２】
以下に、本発明の実施の形態による撮像装置の一例について図面を参照して説明する。
【００１３】
［第１の実施形態］
図１は、本発明の第１の実施形態による撮像装置の一例についてその構成を示すブロック図である。
【００１４】
図示の撮像装置は、例えば、デジタルカメラ（以下単にカメラと呼ぶ）であり、撮影レンズユニット（以下レンズユニットと呼ぶ）１５０およびカメラ本体１００を有している。そして、レンズユニット１５０は、カメラ本体１００に対して交換可能に装着される。
【００１５】
レンズユニット１５０は撮影レンズ（以下単にレンズと呼ぶ）１０３を備えている。通常、レンズ１３０は複数枚のレンズで構成されるが、ここでは、簡略化のため一枚のレンズのみが示されている。レンズユニット１５０側の通信端子６は、カメラ本体１００側の通信端子１０と接続される。通信端子６および１０によってレンズユニット１５０とカメラ本体１００との通信が可能となる。
【００１６】
レンズユニット１５０に備えられたレンズシステム制御回路４は、通信端子６および１０を介してシステム制御部５０と通信を行って、絞り駆動回路２によって絞り１を制御する。さらに、レンズシステム制御回路４は、ＡＦ駆動回路３を制御してレンズ１０３の位置を変位させて焦点を合わせるＡＦ動作を行う。
【００１７】
カメラ本体１００において、レンズ１０３の後段にはクイックリターンミラー（以下単にミラーと呼ぶ）１２が配置されている。システム制御部５０は、露光、ライブビュー撮影、又は動画撮影の際にアクチュエータ（図示せず）によってミラー１２をアップダウンする。
【００１８】
ミラー１２は、アップダウン制御によって選択的にレンズ１０３を介して入射した光学像をファインダー１６側又は撮像部２２側に切替える。ミラーダウンの際には、ミラー１２は光軸上に位置づけられ、ミラー１２で反射した光学像はペンタプリズム１４を介してファインダー１６に導かれる。一方、ミラーアップの際には、ミラー１２は光学上から退避して、レンズ１０３を通過した光学像はシャッター１０１を介して撮像部２２に結像する。つまり、撮影又はライブビュー表示の際には、撮像部２２に光学像を導くため、ミラー１２は上方に跳ね上げられて光軸上から待避する。
【００１９】
なお、ミラー１２はその中央部において光を透過可能なハーフミラーであり、これによって、ミラー１２は光学像を透過させて焦点検出を行うための焦点検出部１１に入射させる。
【００２０】
ユーザーである撮影者は、ファインダー１６およびペンタプリズム１４を介して、フォーカシングスクリーン１３を観察することによって、レンズ１０３を介して入射した光学像の焦点状態および構図を確認することができる。
【００２１】
ＡＥセンサー１７には、ペンタプリズム１４によって光学像が入射する。そして、ＡＥセンサー１７は光学像によって被写体の輝度を測光する。焦点検出部１１は、光学像の合焦状態を検出してデフォーカス量を示すデフォーカス情報をシステム制御部５０に送る。システム制御部５０はデフォーカス情報に基づいてＡＦ駆動回路３によってレンズ１０３を駆動制御して位相差ＡＦを行う。
【００２２】
ミラー１２の後段にはシャッター１０１が配置されており、このシャッター１０１は、例えば、フォーカルプレーンシャッターである。システム制御部５０はシャッター１０１を制御して撮像部２２の露光時間を制御する。
【００２３】
撮像部２２は、ＣＣＤ又はＣＭＯＳ光学素子などの撮像素子を有しており、光学像に応じた電気信号（アナログ信号）を出力する。Ａ／Ｄ変換器２３は、撮像部２２の出力であるアナログ信号を、Ａ／Ｄ変換によってデジタル信号（つまり、画像データ）に変換する。
【００２４】
画像処理部２４は、Ａ／Ｄ変換器２３の出力である画像データ、又はメモリ制御部１５からの画像データに対して所定の画素補間および縮小などのリサイズ処理と色変換処理を行う。さらに、画像処理部２４は、撮影の結果得られた画像データを用いて所定の演算処理を行い、当該演算結果に基づいてシステム制御部５０は露光制御および測距制御を行う。これによって、ＴＴＬ（スルー・ザ・レンズ）方式のＡＦ（オートフォーカス）処理、ＡＥ（自動露出）処理、およびＥＦ（フラッシュプリ発光）処理が行われる。
【００２５】
また、画像処理部２４は、撮影の結果得られた画像データを用いて所定の演算処理を行って、当該演算結果に基づいてＴＴＬ方式のＡＷＢ（オートホワイトバランス）処理を行う。
【００２６】
Ａ／Ｄ変換器２３の出力である画像データは、画像処理部２４およびメモリ制御部１５を介して、或いはメモリ制御部１５を介してメモリ３２に直接書き込まれる。メモリ３２には、Ａ／Ｄ変換器２３の出力である画像データが格納されるとともに、表示部２８に表示するための表示用画像データが格納される。メモリ３２は、所定枚数の静止画像および所定時間の動画像、そして、音声を格納するために十分な記憶容量を有している。
【００２７】
メモリ３２は画像表示用のメモリ（ビデオメモリ）を兼ねている。Ｄ／Ａ変換器１９は、メモリ３２に格納された表示用画像データをアナログ画像信号に変換して表示部２８に送る。これによって、メモリ３２に格納された表示用画像データはＤ／Ａ変換器１９を介して表示部２８に画像として表示される。
【００２８】
表示部２８は、例えば、ＬＣＤであり、メモリ３２に格納された表示用画像データをＤ／Ａ変換器１９を介して表示部２８に逐次転送して表示すれば、表示部２８は電子ビューファインダとして機能し、所謂スルー画像表示（ライブビュー表示）を行うことができる。
【００２９】
ファインダー１６内には、ファインダー内液晶表示部（図示せず）が配置されている。システム制御部５０は、ファインダー内表示部駆動回路４２を駆動制御して、ファインダー内液晶表示部に現在オートフォーカスが行われている測距点を示す枠（ＡＦ枠）を表示する。さらに、システム制御部５０はファインダー内表示部駆動回路４２によってファインダー内液晶表示部にカメラの設定状態を表すアイコンなどを表示する。
【００３０】
また、システム制御部５０は、ファインダー外表示部駆動回路４４によってファインダー外表示部４３にシャッター速度および絞りなどの設定値を表示する。
【００３１】
不揮発性メモリ５６は、電気的に消去・記録可能なメモリであって、例えば、ＥＥＰＲＯＭが用いられる。不揮発性メモリ５６には、システム制御部５０の動作用の定数およびプログラムなどが記憶される。このプログラムには、後述するフローチャートを実行するためのプログラムが含まれる。
【００３２】
システム制御部５０は、カメラ全体を制御する。システム制御部５０は前述の不揮発性メモリ５６に記録されたプログラムを実行することによって、後述する処理を行う。システムメモリ５２としてＲＡＭが用いられる。システムメモリ５２には、システム制御部５０の動作用の定数、変数、および不揮発性メモリ５６から読み出したプログラムなどが展開される。なお、システム制御部はメモリ３２、Ｄ／Ａ変換器１９、および表示部２８など制御することによって表示制御を行う。
【００３３】
システムタイマー５３は各種制御に用いる時間および内蔵された時計の時間を計測する計時部である。モード切替スイッチ６０、シャッターボタン６１、および操作部７０はシステム制御部５０に各種の動作指示を入力するための操作部材である。
【００３４】
モード切替スイッチ６０は、複数の撮影モードのうちいずれかの撮影モードを選択する際に用いられる。複数の撮影モードとして、例えば、オート撮影モード、オートシーン判別モード、マニュアルモード、絞り優先モード（Ａｖモード）、シャッター速度優先モード（Ｔｖモード）がある。また、撮影モードには、撮影シーン別の撮影設定である各種シーンモード、プログラムＡＥモード、およびカスタムモードなどがある。
【００３５】
シャッターボタン６１が所謂半押し（撮影準備指示）されると、システム制御部５０に第１シャッタースイッチ信号ＳＷ１が送られる。第１シャッタースイッチ信号ＳＷ１に応答して、システム制御部５０は、ＡＦ（オートフォーカス）処理、ＡＥ（自動露出）処理、ＡＷＢ（オートホワイトバランス）処理、およびＥＦ（フラッシュプリ発光）処理などを開始する。
【００３６】
シャッターボタン６１が所謂全押し（撮影指示）されると、第２シャッタースイッチ信号ＳＷ２がシステム制御部５０に送られる。第２シャッタースイッチ信号ＳＷ２に応答して、システム制御部５０は、撮像部２２の信号読み出しから記録媒体２００に画像データを書き込むまでの一連の撮影処理を開始する。
【００３７】
操作部７０は、ユーザーからの操作を受け付けるための入力部である。操作部７０には、シャッターボタン６１の他、少なくとも後述するメイン電子ダイヤル２０２、サブ電子ダイヤル２０３、電源スイッチ７２、プロテクト釦２０５、メニュー釦２０６、削除釦２０７、拡大モード釦２０８、再生指示釦２０９、シングル／マルチ切り替え釦２１０、およびマルチコントローラ２１１が含まれる。
【００３８】
電源制御部８０は、電池検出回路、ＤＣ−ＤＣコンバータ、通電するブロックを切り替えるスイッチ回路などを有している。そして、電源制御部８０は、電池の装着の有無、電池の種類、および電池残量を検出する。また、電源制御部８０は、検出結果およびシステム制御部５０の指示に基づいてＤＣ−ＤＣコンバータを制御し、必要な電圧を必要な期間、記録媒体２００を含む各部に供給する。
【００３９】
電源部３０は、アルカリ電池又はリチウム電池などの一次電池、ＮｉＣｄ電池、ＮｉＭＨ電池、又はＬｉ電池などの二次電池を有している。さらに、電源部３０には、ＡＣアダプターなどが備えられている。
【００４０】
記録媒体Ｉ／Ｆ１８は、メモリカード（半導体メモリ）又はハードディスクなどの記録媒体２００とのインターフェースである。そして、記録媒体２００には、撮影の結果得られた画像データが記録される。
【００４１】
通信部５４は、無線又は有線ケーブルに接続され、システム制御部５０の制御下で映像信号（つまり、画像データ）および音声信号の送受信を行う。通信部５４は無線ＬＡＮ（Ｌｏｃａｌ  Ａｒｅａ  Ｎｅｔｗｏｒｋ）又はインターネットに接続可能である。通信部５４は撮影の結果得られた画像データ（スルー画像を含む）、記録媒体２００に記録された画像データを送信可能であり、また、外部機器から画像データおよびその他の各種情報を受信することができる。
【００４２】
姿勢検知部５５は重力方向に対するカメラの姿勢を検知する。姿勢検知部５５で検知された姿勢に基づいて、システム制御部５０は撮影の結果得られた画像データがカメラを横又は縦のいずれに構えて撮影された画像であるかを判別する。また、システム制御部５０は、姿勢検知部５５で検知された姿勢を示す向き情報を画像データに付加して画像ファイルを生成し、さらには、上記の判別結果に応じて画像データを回転して記録媒体２００に記録することができる。なお、姿勢検知部５５として、例えば、加速度センサー又はジャイロセンサーが用いられる。
【００４３】
図２は、図１に示すカメラ本体の外観を示す斜視図である。そして、図２（ａ）はカメラ本体を正面から示す斜視図であり、図２（ｂ）はカメラ本体を背面から示す斜視図である。なお、図２において、図１に示す構成要素と同一の構成要素については同一の参照番号を付す。
【００４４】
シャッターボタン６１は、カメラ本体１００の上面に配置されており、前述のように、撮影の準備指示および撮影指示を行うためのボタンである。シャッターボタン６１を半押しされると、システム制御部５０は被写体の輝度の測定および合焦を行う。また、シャッターボタン６１が全押しされると、システム制御部５０はシャッター１０１を制御して撮影を実行する。
【００４５】
メイン電子ダイヤル２０２は回転操作部材であって、ユーザーはメイン電子ダイヤル２０２を回転操作することによってシャッター速度および絞りなどの設定値を設定することができる。さらに、ユーザーはメイン電子ダイヤル２０２を回転操作することによって拡大モードの際の拡大倍率を微調整することができる。
【００４６】
サブ電子ダイヤル２０３は回転操作部材であって、ユーザーはサブ電子ダイヤル２０３を回転操作することによって絞りおよび露出補正などの設定値を設定することができる。さらに、ユーザーはサブ電子ダイヤル２０３を回転操作することによって画像表示状態において画像の１枚送り操作などを行うことができる。
【００４７】
電源スイッチ７２はカメラ本体１００の背面側に配置されており、電源のＯＮ又はＯＦＦを行う際に用いられる。プロテクトボタン２０５は、記録媒体２００に保存された画像データに対して、プロテクト又はレーティングなどの処理を行う際に用いられる。メニューボタン２０６は、各種設定画面を表示部２８に表示させる際に用いられる。
【００４８】
削除ボタン２０７は、記録媒体２００に保存された画像を削除する際に用いられる。拡大モードボタン２０８は、再生状態において、拡大モードへの遷移指示（拡大モードの開始指示）、および拡大モードから離脱する指示（拡大モードの終了指示）を行う際に用いられる。再生指示ボタン２０９は、記録媒体２００に保存された画像データを表示部２８に表示させる際に用いられる。
【００４９】
測距点選択ボタン２１０は、オートフォーカスの開始ポイントである測距点を選択するモードを選択する際に用いられる。マルチコントローラ２１１は、オートフォーカスの開始ポイントである測距点の設定を行う際に用いられる。さらに、マルチコントローラ２１１は、拡大画像表示状態において、拡大枠（拡大している範囲）の移動を行う際に用いられ、複数方向に操作可能な操作部材である。
【００５０】
動画レバー２１２は、カメラを動画記録可能状態に遷移させる際に用いられる。ユーザーは、レバーを動画側に倒す（動画撮影モードの位置としてオンにする）ことによって、カメラを動画記録を開始可能な状態とする。以下、動画記録可能な状態（動画記録可能な動作モード）を、動画ライブビュー状態（動画撮影モード）と呼ぶ。動画開始ボタン２１３は、動画記録を開始する際に用いられる。
【００５１】
図３Ａおよび図３Ｂは、図１に示すカメラで行われる撮影モード処理を説明するためのフローチャートである。撮影モード処理は、不揮発性メモリ５６に記録されたプログラムを、システムメモリ５２に展開してシステム制御部５０が実行することによって行われる。
【００５２】
撮影モードにおいて電源がオンとされるか又は再生モードなどの他の動作モードで起動していた状態からシャッターボタン６１の半押し又は再生ボタンの押下によって撮影モードに切り替えられると、システム制御部５０は撮影モード処理を開始する。
【００５３】
まず、システム制御部５０は、動画レバー２１２がオンであるか（つまり、動画撮影モードの位置となっているか）否かを判定する（Ｓ３０１）。動画レバー２１２がオンとなっていると（Ｓ３０１において、ＹＥＳ）、システム制御部５０は、動画ライブビュー表示（動画ＬＶ）を開始する（Ｓ３０２）。
【００５４】
ここでは、システム制御部５０はクイックリターンミラー１２をアップさせる。そして、システム制御部５０は設定された絞り値をレンズシステム制御回路４に送って、絞り駆動回路２によって絞り１を絞り込ませる（つまり、絞り１を設定された絞り値とする）。続いて、システム制御部５０はシャッター１７を開く。そして、システム制御部５０は設定されたシャッター速度に基づいて撮像部２２の駆動タイミングを制御する。さらに、システム制御部５０は設定されたＩＳＯ値に応じたゲインで撮像部２２を制御してアナログ信号を増幅する。撮像部２２の出力であるアナログ信号はＡ／Ｄ変換回路２３でデジタル信号に変換されて、画像処理部２４によってメモリ制御部１５を介して画像データとしてメモリ３２に書き込まれる。
【００５５】
続いて、システム制御部５０は、メモリ３２に書き込まれた画像データを、メモリ制御部１５を介してＤ／Ａ変換回路１９に送る。これによって、Ｄ／Ａ変換回路１９によって画像データはアナログ画像信号に変換されて表示部２８動画ライブビューとして表示される。
【００５６】
動画ライブビューは、動画記録された画像データと同一のシャッター速度（設定されたシャッター速度）で撮影された画像はない。但し、動画ライブビューにおいては、撮像部２２の駆動タイミング制御によって、設定されたシャッター速度に近づけるとともにゲイン調整によって、設定されたシャッター速度で記録される画像データと同等の明るさの画像を表示する。つまり、動画ライブビューは、設定されたシャッター速度を反映した画像となる。
【００５７】
続いて、システム制御部５０は、後述するようにして、シャッター速度チェック処理を行う（Ｓ３０３）。このシャッター速度チェック処理では、システム制御部５０は静止画用に設定されたシャッター速度が設定された動画のフレームレートの１フレームに要する時間よりも長いと、シャッター速度の設定を動画の１フレームに要する時間以下に調整する。
【００５８】
次に、システム制御部５０は、露出設定ステップ（以下露出ステップともいう）の設定操作があったか否かを判定する（Ｓ３０４）。露出設定ステップの設定操作があると（Ｓ３０４において、ＹＥＳ）、システム制御部５０はユーザー操作によって選択された露出設定ステップを不揮発性メモリ５６に記録する（Ｓ３０５）。そして、システム制御部５０はＳ３０３の処理に戻る。
【００５９】
図４は、図１に示す表示部に表示される設定画面を説明するための図である。そして、図４（ａ）は露出設定ステップの設定画面を示す図であり、図４（ｂ）は動画記録サイズの設定画面を示す図である。
【００６０】
撮影モードにおいて、ユーザーによってメニューボタン２０６が押下されると、システム制御部５０は各種設定のためのメニュー画面を表示部２８に表示する。そして、メニュー画面において、露出設定ステップ設定項目が選択されると、システム制御部５０は図４（ａ）に示す露出設定ステップ設定画面を表示部２８に表示する。
【００６１】
図４（ａ）に示す露出設定ステップ設定画面には第１〜第３の選択肢が表示され、ユーザーは第１〜第３の選択肢をいずれかを選択することができる（露出設定ステップ設定操作）。
【００６２】
図５は、露出設定ステップ設定画面で設定可能なシャッター速度の設定値を説明するための図である。そして、図５（ａ）は１／３段刻みで設定可能なシャッター速度の設定値の一覧を示す図であり、図５（ｂ）は１／２段刻みで設定可能なシャッター速度の設定値の一覧を示す図である。また、図５（ｃ）は１段刻みで設定可能なシャッター速度の設定値の一覧を示す図である。なお、図５（ａ）〜図５（ｃ）に示す一覧（テーブル）は予め不揮発性メモリ５６に記憶されているものとする。
【００６３】
第１の選択肢では、設定１／３、露出補正１／３、１／３…１／３段ステップ、つまり、シャッター速度および露出補正を１／３段刻みで設定することができる（図５（ａ）参照）。第２の選択肢では、設定１、露出補正１／３、１／１…１段ステップ、つまり、シャッター速度を１段刻みで、露出補正を１／３段刻みで設定することができる（図５（ｃ）参照）。第３の選択肢では、設定１／２、露出補正１／２、１／２…１／２段ステップ、つまり、シャッター速度および露出補正を１／２段刻みで設定することができる（図５（ｂ）参照）。
【００６４】
ユーザーによって設定された露出設定ステップは、現在の露出設定ステップの設定として、不揮発性メモリ５６に記録される。
【００６５】
続いて、システム制御部５０は、動画レバー２１２がオフとされたか（静止画撮影モードの位置とされたか）否かを判定する（Ｓ３０６）。動画レバー２１２がオフとされると（Ｓ３０６において、ＹＥＳ）、システム制御部５０は、後述のＳ３２１の処理に進む。
【００６６】
動画レバー２１２がオンであると（Ｓ３０６において、ＮＯ）、システム制御部５０は、シャッター速度の変更操作があったか否かを判定する（Ｓ３０７）。ここでは、システム制御部５０はメイン電子ダイヤル２０２が操作されたか否かを判定することになる。
【００６７】
シャッター速度の変更操作があると（Ｓ３０７において、ＹＥＳ）、システム制御部５０はメイン電子ダイヤル２０２の操作量に応じたシャッター速度の変更処理を行う（Ｓ３０８）。この変更処理によって、メイン電子ダイヤル２０２の操作に応じたシャッター速度が仮設定される。
【００６８】
続いて、システム制御部５０は、設定されたシャッター速度が現在設定されている動画のフレームレートの逆数より長秒側であるか（長いか）否かを判定する（Ｓ３０９）。例えば、フレームレートが２５ｆｐｓであった場合は、システム制御部５０はシャッター速度が１／２５秒より長いか否かを判定する。
【００６９】
シャッター速度が現在設定されている動画のフレームレートの逆数より長秒側であると（Ｓ３０９において、ＹＥＳ）、システム制御部５０は、シャッター速度を、強制的に動画のフレームレートの逆数に設定する（Ｓ３１０）。例えば、動画のフレームレートが２５ｆｐｓであって、設定されたシャッター速度（変更前）が１／２０秒であった場合には、システム制御部５０はシャッター速度を１／２５秒に変更する。これによって、シャッター速度が動画１フレームより長くなることを防止しつつ、変更前のシャッター速度（つまり、ユーザーが設定したシャッター速度）に極力近い値とすることができる。
【００７０】
なお、ここで設定される変更後のシャッター速度は、正確に動画のフレームレートの逆数でなくてもよい。変更前のシャッター速度よりも短く、動画のフレームレートにおける１フレームに要する時間以下で、かつ現在の露出設定ステップに則った値のうち変更前のシャッター速度より短い側で最も近い値よりも長ければよい。
【００７１】
例えば、変更前のシャッター速度が１／２０秒、動画のフレームレートが２４ｆｐｓ、露出設定ステップが１／２段であった場合には、次のようにしてもよい。つまり、フレームレートの逆数の１／２４秒ではなく、変更前のシャッター速度の１／２０秒より短く、フレームレートの逆数の１／２４秒以下で１／３０秒（１／２段刻みに則った値のうち１／２０秒より短い側で最も近い値）よりも長い１／２５秒としてもよい。
【００７２】
さらに、変更後のシャッター速度は、全ての露出設定ステップで設定可能なシャッター速度のうちいずれかにすることが望ましい。これによって、既存のシャッター速度の制御コマンドを流用できるので、処理の複雑化を軽減することができる。例えば、上述の１／２５秒は、１／２段刻みの露出設定ステップには存在しないが、１／３段刻みため、新たなコマンドを用意することなく、１／３段刻みの場合と同様の制御コマンドを流用して設定することができる。また、このようなフレームレートの逆数近傍値であっても、シャッター速度が動画１フレーム分より長くなることを防止しつつ、変更前のシャッター速度（つまり、ユーザーが設定したシャッター速度）に極力近い値とすることができる。
【００７３】
Ｓ３１０の処理の後、システム制御部５０は、表示部２８に表示されたシャッター速度の設定値を更新する（Ｓ３１１）。なお、シャッター速度が現在設定されている動画のフレームレートの逆数より長秒側でないと（Ｓ３０９において、ＮＯ）、システム制御部５０はＳ３１１の処理に進む。
【００７４】
Ｓ３１１の処理においては、Ｓ３０８の処理を経由してＳ３０９において”ＮＯ”であると、システム制御部５０はＳ３０８で仮設定されたシャッター速度を確定する。そして、システム制御部５０は当該シャッター速度を表示部２８の表示に反映させるととともに、動画ライブビュー表示にも確定したシャッター速度を反映させる。
【００７５】
一方、Ｓ３０８の処理を経由してＳ３０９において”ＹＥＳ”であると、システム制御部５０はＳ３０８で仮設定されたシャッター速度ではなく、Ｓ３１０において変更されたシャッター速度を確定する。そして、システム制御部５０は当該シャッター速度を表示部２８の表示に反映させるとともに、動画ライブビュー表示にも反映させる。
【００７６】
つまり、Ｓ３０８の処理においてフレームレートの逆数より長秒側のシャッター速度に設定されたとしても、その設定は仮設定に過ぎず、当該シャッター速度は設定値の表示および動画ライブビューに反映されない。シャッター速度がフレームレートの逆数又は逆数近傍値に達するまで、システム制御部５０はメイン電子ダイヤル２０２の長秒側への回転操作に応じてシャッター速度の設定値を変更するが、それ以上はいくら長秒側に回転操作してもシャッター速度は変わらない。このように、シャッター速度の長秒側の限界値はフレームレートの逆数又は逆数近傍値となる。
【００７７】
前述のＳ３０７において、シャッター速度の変更操作がないと（Ｓ３０７において、ＮＯ）、システム制御部５０はフレームレートの変更操作があったか否かを判定する（Ｓ３１２）。Ｓ３１２の処理においては、例えば、システム制御部５０は、図４（ｂ）に示す動画記録サイズ設定画面においてユーザーによっていずれかの選択肢を選択する操作があったか否かを判定する。
【００７８】
図４（ｂ）に示すように、動画記録サイズの設定値として設定可能な選択肢は、記録画素数、フレームレート、および動画圧縮方式がセットの選択肢であり、全部で７パターンある。そして、フレームレートについては、２５ｆｐｓ、２４ｆｐｓ、および５０ｆｐｓの３つである。
【００７９】
なお、フレームレートの設定手法はこの例に限るものではなく、フレームレートだけの選択肢から１つのフレームレートを設定できるようにしてもよい。さらには、フレームレートには３０ｆｐｓおよび６０ｆｐｓなどの他のフレームレートがあってもよい。
【００８０】
フレームレートの変更操作があると（Ｓ３１２において、ＹＥＳ）、システム制御部５０は、変更操作に応じてフレームレートを設定する（Ｓ３１３）。そして、システム制御部５０はＳ３０９の処理に進む。
【００８１】
Ｓ３１３の処理では、例えば、システム制御部５０は、動画記録サイズ設定画面で選択された動画記録サイズのセットに含まれるフレームレートに、動画のフレームレートを設定する。そして、システム制御部５０は、当該設定したフレームレートを不揮発性メモリ５６に記録して動画ライブビュー表示に反映する。
【００８２】
Ｓ３１３の処理を経由して、Ｓ３０９において”ＹＥＳ”であると、システム制御部５０はフレームレートの変更に応じてＳ３１０で設定されたシャッター速度を確定する。そして、システム制御部５０は当該シャッター速度を表示部２８の表示に反映させるとともに、動画ライブビュー表示に反映させる。
【００８３】
一方、Ｓ３１３の処理を経由して、Ｓ３０９において”ＮＯ”であると、システム制御部５０はシャッター速度に変更はないので表示を更新しない。
【００８４】
図６は、図３Ａおよび図３Ｂに示すシャッター速度設定表示更新による表示を説明するための図である。そして、図６（ａ）は第１の例を示す図であり、図６（ｂ）は第２の例を示す図である。また、図６（ｃ）は第３の例を示す図である。
【００８５】
図６（ａ）に示す例では、フレームレートが２５ｆｐｓであり、かつ露出設定ステップが１／３段に設定されている。そして、シャッター速度が１／３段に則った値（速度）である１／２５秒に設定されている。表示部２８には、動画ライブビュー６０１とともに、現在設定されているシャッター速度６０２ａが表示される。シャッター速度はフレームレート２５ｆｐｓの逆数の１／２５秒となっており、長秒側の限界値に達している。このため、この状態からメイン電子ダイヤル２０２を長秒側に回転させても、システム制御部５０はシャッター速度を変更せず、シャッター速度６０２ａの表示は変わらない。
【００８６】
図６（ｂ）に示す例では、フレームレートが２５ｆｐｓであり、かつ露出設定ステップが１／２段に設定されている。そして、シャッター速度が１／２段に則っていない値である１／２５秒に設定されている。この状況は、Ｓ３１０においてフレームレートの逆数又は近傍値がシャッター速度として設定された状態である。表示部２８には、動画ライブビュー６０１とともに、現在設定されているシャッター速度６０２ｂが表示される。シャッター速度が１／２段に則っていない値であるので、ユーザーの混乱を防ぐため、システム制御部５０はシャッター速度６０２ｂを点滅表示する。これによって、ユーザーに１／２段に則っていない特異的な状態であることを認識させるようにする。
【００８７】
ここでは、点滅表示に限らず、図６（ａ）に示すシャッター速度６０２ａと異なる色又は太さで表示するなどの表示形態を変えるようにしてもよい。さらには、システム制御部５０はシャッター速度の設定値が変更されてから所定の時間（例えば、２秒）だけ図６（ａ）に示すシャッター速度６０２ａと異なる表示形態で表示する。そして、所定の時間が経過すると、システム制御部５０は図６（ａ）に示すシャッター速度６０２ａと同一の表示形態で表示するようにしてもよい。
【００８８】
また、シャッター速度６０２ｂの表示形態を変えるのみではなく、フレームレートを示す２５ｆｐｓの表示部分についても同時に点滅又は色を変えるなどの表示形態を変更するようにしてもよい。こうすれば、シャッター速度６０２ｂが１／２段に則っていない特異的な状況の要因がフレームレートにあることをユーザーに認識させることができる。なお、シャッター速度はフレームレート２５ｆｐｓの逆数の１／２５秒となっており、長秒側の限界値に達している。このため、この状態からメイン電子ダイヤル２０２を長秒側に回転させても、システム制御部５０はシャッター速度を変更しない。
【００８９】
図６（ｃ）に示す例では、フレームレートが５０ｆｐｓであり、かつ露出設定ステップが１／３段に設定されている。そして、シャッター速度が１／３段に則った値である１／５０秒に設定されている。シャッター速度が１／３段に則っているので、ここでは、図６（ａ）と同様、システム制御部５０はシャッター速度６０２ｃを通常の表示形態で表示する。シャッター速度６０２ｃはフレームレート５０ｆｐｓの逆数の１／５０秒となっており、長秒側の限界値に達している。このため、この状態からメイン電子ダイヤル２０２を長秒側に回転させても、システム制御部５０はシャッター速度を変更せず、シャッター速度６０２ｃの表示は変わらない。
【００９０】
再び図３Ａおよび図３Ｂを参照して、フレームレートの変更操作がないと（Ｓ３１２において、ＮＯ）、システム制御部５０は、動画開始ボタン２１３が押下されたか否かを判定する（Ｓ３１４）。なお、Ｓ３１１の処理の後、システム制御部５０はＳ３１４の処理に進む。
【００９１】
動画開始ボタン２１３が押し下げられると（Ｓ３１４において、ＹＥＳ）、システム制御部５０は動画記録を行う（Ｓ３１５）。ここでは、システム制御部５０は、設定したフレームレートおよびシャッター速度などの各種パラメータを用いて、撮像部２２を制御して動画を撮像する。そして、システム制御部５０は撮像の結果得られた動画を動画ファイルとして記録媒体２００に記録する。
【００９２】
続いて、システム制御部５０は、動画開始ボタン２１３が押下されたか否かを判定する（Ｓ３１６）。動画開始ボタン２１３が押し下げられないと（Ｓ３１６において、ＮＯ）、システム制御部５０は、Ｓ３１５の処理に戻って動画記録を継続する。
【００９３】
一方、動画開始ボタン２１３が押し下げられると（Ｓ３１６において、ＹＥＳ）、システム制御部５０は動画記録を停止する（Ｓ３１７）。そして、システム制御部５０は撮影モードの終了イベントがあったか否かを判定する（Ｓ３１８）。
【００９４】
撮影モードの終了イベントとは、電源をオフする操作、再生モードなどの他の動作モードに移行させる操作、又は電池残容量の低下などである。終了イベントがあると（Ｓ３１８において、ＹＥＳ）、システム制御部５０は撮影モード処理を終了する。終了イベントがないと（Ｓ３１８において、ＮＯ）、システム制御部５０はＳ３０４の処理に戻る。
【００９５】
前述のＳ３０１において、動画レバーがオフとなっていると（Ｓ３０１において、ＮＯ）、つまり、静止画撮影モード（動画記録不可能状態）であると、システム制御部５０は、動画ライブビューが表示中であるか否かを判定する（Ｓ３２１）。動画ライブビューが表示中であると（Ｓ３２１において、ＹＥＳ）、システム制御部５０は動画ライブビューの表示を終了する（Ｓ３２２）。ここでは、システム制御部５０は撮像部２２を制御して画像の取り込みを停止して、シャッター１０１を閉じる。さらに、システム制御部５０はミラー１２をダウンさせるとともに、絞り駆動回路２によって絞り１を開放させる。これによって、システム制御部５０は動画ライブビューを終了する。
【００９６】
続いて、システム制御部５０は、後述するようにしてシャッター速度チェック処理を行う（Ｓ３２３）。なお、Ｓ３２２を経由して、Ｓ３２３において行われるシャッター速度チェック処理は、動画撮影モードから静止画撮影モードへの遷移に伴うチェックである。動画撮影モード（動画ＬＶ表示状態）においてＳ３１０の処理でシャッター速度が露出設置ステップ（段数）に則っていない値に設定されている場合には、このシャッター速度チェック処理で露出設置ステップに則った値に調整されることになる。
【００９７】
動画ライブビューが表示中でないと（Ｓ３２１において、ＮＯ）、システム制御部５０は露出ステップ設定操作があったか否かを判定する（Ｓ３２４）。なお、Ｓ３２４の処理は前述のＳ３０４の処理と同様である。
【００９８】
露出ステップ設定操作があると（Ｓ３２４において、ＹＥＳ）、システム制御部５０はユーザー操作によって選択された露出設定ステップを設定して、当該露出設定ステップを不揮発性メモリ５６に記録する（Ｓ３２５）。そして、システム制御部５０はＳ３２３の処理に進む。
【００９９】
Ｓ３２５の処理を経由して行われるシャッター速度チェック処理では、露出設定ステップが変更されたことによって現在設定されているシャッター速度が変更後の露出設定ステップ（段数）に則らない値となった場合に、変更後の露出設定ステップに則った値に調整することになる。
【０１００】
露出ステップ設定操作がないと（Ｓ３２４において、ＮＯ）、システム制御部５０は、動画レバー２１２がオンとなったか（動画撮影モードの位置となったか）否かを判定する（Ｓ３２６）。なお、Ｓ３２３の処理の後、システム制御部５０はＳ３２６の処理に進む。
【０１０１】
動画レバーがオンとなると（Ｓ３２６において、ＹＥＳ）、システム制御部５０はＳ３０２の処理に進む。一方、動画レバーがオフであると（Ｓ３２６において、ＮＯ）、システム制御部５０は、動画記録不可能状態であるとしてシャッター速度変更操作があったか否かを判定する（Ｓ３２７）。なお、Ｓ３２７の処理はＳ３０７の処理と同様の処理である。
【０１０２】
シャッター速度変更操作があると（Ｓ３２７において、ＹＥＳ）、システム制御部５０はシャッター速度変更処理を行う（Ｓ３２８）。なお、Ｓ３２８の処理はＳ３０８の処理と同様の処理である。但し、Ｓ３２８の処理で変更されたシャッター速度は動画のフレームレートに合わせて調整されることはないので、確定値である。
【０１０３】
続いて、システム制御部５０は、表示部２８に表示されたシャッター速度の設定値を更新する（Ｓ３２９）。そして、システム制御部５０はＳ３２４の処理に戻る。
【０１０４】
シャッター速度変更操作がないと（Ｓ３２７において、ＮＯ）、システム制御部５０はシャッターボタン６１が半押しされて第１のシャッタースイッチ信号ＳＷ１がオンとなったか否かを判定する（Ｓ３３０）。ＳＷ１がオンとなると（Ｓ３３０において、ＹＥＳ）、システム制御部５０は、撮影の準備動作、例えば、オートフォーカス（ＡＦ）および自動露出処理（ＡＥ）を行う（Ｓ３３１）。なお、露出調整をマニュアルで行う場合にはＡＥは行われない。
【０１０５】
次に、システム制御部５０はシャッターボタン６１が全押しされて第２のシャッタースイッチ信号ＳＷ２がオンとなったか否かを判定する（Ｓ３３２）。ＳＷ２がオフであると（Ｓ３３２において、ＮＯ）、システム制御部５０はＳＷ１がオンであるか否かを判定する（Ｓ３３３）。
【０１０６】
ＳＷ１がオンであると（Ｓ３３３において、ＹＥＳ）、システム制御部５０はＳ３３２の処理に戻る。ＳＷ１がオフであると（Ｓ３３３において、ＮＯ）、システム制御部５０はＳ３２４の処理に戻る。
【０１０７】
ＳＷ２がオンであると（Ｓ３３２において、ＹＥＳ）、システム制御部５０は静止画撮影を行う（Ｓ３３４）。ここでは、システム制御部５０は、設定したシャッター速度などの各種パラメータを用いて、撮像部２２を制御して静止画を撮像して、撮像の結果得られた静止画を静止画ファイルとして記録媒体２００に記録する。その後、システム制御部５０はＳ３２４の処理に戻る。
【０１０８】
Ｓ３３０において、ＳＷ１がオフであると（Ｓ３３０において、ＮＯ）、システム制御部５０はその他の操作が行われたか否かを判定する（Ｓ３３５）。その他の操作が行われると（Ｓ３３５において、ＹＥＳ）、システム制御部５０はその他の操作に応じた処理（その他の処理）を行う（Ｓ３３６）。そして、システム制御部５０はＳ３２４の処理に戻る。
【０１０９】
その他の操作が行われないと（Ｓ３３５において、ＹＥＳ）、システム制御部５０は終了イベントがあったか否かを判定する（Ｓ３３７）。Ｓ３３７の処理はＳ３１８の処理と同様の処理である。終了イベントがあると（Ｓ３３７において、ＹＥＳ）、システム制御部５０は撮影モード処理を終了する。一方、終了イベントがないと（Ｓ３３７において、ＮＯ）、システム制御部５０はＳ３２４の処理に戻る。
【０１１０】
ところで、図１に示すカメラ１００では、動画レバー２１２が動画撮影モード側の位置となっている場合（Ｓ３０２〜Ｓ３１８）には、シャッターボタン６１が全押しされても静止画の撮影は行われない。これに限るものではなく、動画レバー２１２が動画撮影モード側の位置となっている場合においても、シャッターボタン６１が全押しされると、システム制御部５０は静止画撮影を行うようにしてもよい。この場合、シャッター速度がＳ３１０で動画のフレームレートの逆数に設定されていた場合には、システム制御部５０は静止画撮影の際に当該シャッター速度（フレームレートの逆数又は逆数近傍値）で撮影を行う。動画ライブビューでユーザーが確認していたライブビュー画像と静止画撮影で得られる画像のシャッター速度が異なってしまうと、ユーザーが意図した画像が得られない可能性があるので、上述のようにシャッター速度を設定する。
【０１１１】
図７は、図３Ａおよび図３Ｂに示すシャッター速度チェック処理を説明するためのフローチャートである。図示のフローチャートに係る処理は、不揮発性メモリ５６に記録されたプログラムをシステムメモリ５２に展開してシステム制御部５０が実行することによって行われる。
【０１１２】
シャッター速度チェック処理を開始すると、システム制御部５０は設定されたシャッター速度が現在設定されている露出設定ステップ（段数）に則った値（速度）であるか否かを判定する（Ｓ７０１）。ここでは、システム制御部５０は、図５（ａ）〜図５（ｃ）に示す一覧（テーブル）において、現在の段数に対応するテーブルに存在するシャッター速度が設定されているか否かを判定することになる。
【０１１３】
シャッター速度が現在設定されている露出設定ステップ（段数）に則った値ででないと（Ｓ７０１において、ＮＯ）、システム制御部５０は、現在の露出設定ステップ（シャッター速度の段数）が１／３段刻みであるか否かを判定する（Ｓ７０２）。現在の露出設定ステップが１／３段刻みであると（Ｓ７０２において、ＹＥＳ）、システム制御部５０は、１／３段刻みで設定可能な値（図５（ａ）に存在する値）のうち現在のシャッター速度（変更前のシャッター速度）に最も近い値にシャッター速度を変更する（Ｓ７０３）。例えば、シャッター速度が１／４５秒だった場合には、システム制御部５０はシャッター速度を１／５０秒に変更する。
【０１１４】
現在の露出設定ステップが１／３段刻みでないと（Ｓ７０２において、ＮＯ）、システム制御部５０は、現在の露出設定ステップ（シャッター速度の段数）が１／２段刻みであるか否かを判定する（Ｓ７０４）。現在の露出設定ステップが１／２段刻みであると（Ｓ７０４において、ＹＥＳ）、システム制御部５０は、１／２段刻みで設定可能な値（図５（ｂ）に存在する値）のうち現在のシャッター速度（変更前のシャッター速度）に最も近い値にシャッター速度を変更する（Ｓ７０５）。例えば、シャッター速度が１／２５秒である場合には、システム制御部５０はシャッター速度を１／３０秒に変更する。
【０１１５】
現在の露出設定ステップが１／２段刻みでないと（Ｓ７０４において、ＮＯ）、システム制御部５０は、１段刻みで設定可能な値（図５（ｃ）に存在する値）のうち現在のシャッター速度（変更前のシャッター速度）に最も近い値にシャッター速度を変更する（Ｓ７０６）。例えば、シャッター速度が１／２５秒である場合には、システム制御部５０はシャッター速度を１／３０秒に変更する。
【０１１６】
Ｓ７０２〜７０６の処理によって、シャッター速度の設定ステップ（露出設定ステップ）が変更された場合、変更された設定ステップに則るようにシャッター速度が調整される。また、動画ライブビューの際に動画のフレームレートに合わせてシャッター速度が調整されていた状態から動画ライブビューを解除して静止画撮影モードに移行した際にも、現状の設定ステップに則るようにシャッター速度が調整される。
【０１１７】
Ｓ７０３、Ｓ７０５、又はＳ７０６の処理の後、システム制御部５０は動画ライブビュー中であるか否かを判定する（Ｓ７０７）。動画ライブビュー中であると（Ｓ７０７において、ＹＥＳ）、システム制御部５０は、設定されたシャッター速度が現在設定されている動画のフレームレートの逆数より長秒側であるか（長いか）否かを判定する（Ｓ７０８）。
【０１１８】
シャッター速度が現在設定されている動画のフレームレートの逆数より長秒側であると（Ｓ７０８において、ＹＥＳ）、システム制御部５０は、シャッター速度を動画のフレームレートの逆数又は逆数の近傍値に変更して設定する（Ｓ７０９）。Ｓ７０９の処理は、図３Ａに示すＳ３１０の処理と同様の処理である。そして、システム制御部５０はシャッター速度チェック処理を終了する。
【０１１９】
シャッター速度が現在設定されている動画のフレームレートの逆数より長秒側でないと（Ｓ７０８において、ＮＯ）、システム制御部５０はシャッター速度チェック処理を終了する。なお、動画ライブビュー中でないと（Ｓ７０７において、ＮＯ）、システム制御部５０はシャッター速度チェック処理を終了する。
【０１２０】
これによって、動画ライブビュー中に露出設定ステップが変更された場合でも、シャッター速度が動画１フレーム分より長くなることを防止しつつ、変更前のシャッター速度（つまり、ユーザーが設定したシャッター速度）に極力近い値とすることができる。
【０１２１】
図８は、図３Ａおよび図３Ｂに示すシャッター速度変更処理を説明するためのフローチャートである。図示のフローチャートに係る処理は、不揮発性メモリ５６に記録されたプログラムをシステムメモリ５２に展開してシステム制御部５０が実行することによって行われる。また、この処理はメイン電子ダイヤル２０２の操作に応じてシャッター速度を変更（仮設定）する処理である。
【０１２２】
シャッター速度変更処理を開始すると、システム制御部５０は、設定した露出設定ステップ（露出ステップともいう）を不揮発性メモリ５６から読み出して取得する（Ｓ８００）。さらに、システム制御部５０は設定したシャッター速度（現状ＴＶ値）を不揮発性メモリ５６から読み出して取得する（Ｓ８０１）。
【０１２３】
続いて、システム制御部５０は、露出設定ステップが１／３段刻みであるか否かを判定する（Ｓ８０２）。露出設定ステップが１／３段刻みでないと（ステップ８０２において、ＮＯ）、システム制御部５０は露出設定ステップが１／２段刻みであるか否かを判定する（Ｓ８０３）。一方、露出設定ステップが１／３段刻みであると（ステップ８０２において、ＹＥＳ）、システム制御部５０は、図５（ａ）に示すテーブルから、Ｓ８０１で読み出したシャッター速度に対応するテーブルナンバー（Ｎ）を得る（Ｓ８０４）。
【０１２４】
次に、システム制御部５０は、図５（ａ）に示すテーブルから１／３段刻みで設定可能な最小のシャッター速度に対応するテーブルナンバー（Ｎ＿Ｍｉｎ）を得る（Ｓ８０５）。さらに、システム制御部５０は、図５（ａ）に示すテーブルから１／３段刻みで設定可能な最大のシャッター速度に対応するテーブルナンバー（Ｎ＿Ｍａｘ）を得る（Ｓ８０６）。
【０１２５】
前述のＳ８０３において、露出設定ステップが１／２段刻みであると（Ｓ８０３において、ＹＥＳ）、システム制御部５０は、図５（ｂ）に示すテーブルから、Ｓ８０１で読み出したシャッター速度に対応するテーブルナンバーを得る（Ｓ８０７）。さらに、システム制御部５０は図５（ｂ）に示すテーブルから１／２段刻みで設定可能な最小のシャッター速度に対応するテーブルナンバーを得る（Ｓ８０８）。そして、システム制御部５０は、図５（ｂ）に示すテーブルから１／２段刻みで設定可能な最大のシャッター速度に対応するテーブルナンバーを得る（Ｓ８０９）。
【０１２６】
露出設定ステップが１／２段刻みでないと（Ｓ８０３において、ＮＯ）、システム制御部５０は、図５（ｃ）に示すテーブルから、Ｓ８０１で読み出したシャッター速度に対応するテーブルナンバーを得る（Ｓ８１０）。さらに、システム制御部５０は図５（ｃ）に示すテーブルから１段刻みで設定可能な最小のシャッター速度に対応するテーブルナンバーを得る（Ｓ８１１）。そして、システム制御部５０は、図５（ｃ）に示すテーブルから１段刻みで設定可能な最大のシャッター速度に対応するテーブルナンバーを得る（Ｓ８１２）。
【０１２７】
Ｓ８０６、Ｓ８０９、又はＳ８１２の処理の後、システム制御部５０はメイン電子ダイヤル２０２の回転方向が正転方向（時計回り：右）であるか否かを判定する（Ｓ８１３）。メイン電子ダイヤル２０２の回転方向が正転方向であると（Ｓ８１３において、ＹＥＳ）、システム制御部５０はテーブルナンバー（Ｎ）をインクリメントして、Ｎ＝Ｎ＋１とする（Ｓ８１４）。一方、メイン電子ダイヤル２０２の回転方向が反転方向（反時計回り：左）であると（Ｓ８１３において、ＮＯ）、システム制御部５０はテーブルナンバー（Ｎ）をデクリメント、Ｎ＝Ｎ−１とする（Ｓ８１５）。
【０１２８】
Ｓ８１４の処理の後、システム制御部５０は、テーブルナンバー（Ｎ）＞最大テーブルナンバー（Ｎ＿Ｍａｘ）であるか否かを判定する（Ｓ８１６）。テーブルナンバー（Ｎ）＞最大テーブルナンバー（Ｎ＿Ｍａｘ）であると（Ｓ８１６において、ＹＥＳ）、システム制御部５０はテーブルナンバー（Ｎ）をデクリメントして、Ｎ＝Ｎ−１とする（Ｓ８１７）。
【０１２９】
Ｓ８１５の処理の後、システム制御部５０は、テーブルナンバー（Ｎ）＜最小テーブルナンバー（Ｎ＿Ｍｉｎ）であるか否かを判定する（Ｓ８１８）。テーブルナンバー（Ｎ）＜最小テーブルナンバー（Ｎ＿Ｍｉｎ）であると（Ｓ８１８において、ＹＥＳ）、システム制御部５０はテーブルナンバー（Ｎ）をインリメントして、Ｎ＝Ｎ＋１とする（Ｓ８１９）。
【０１３０】
Ｓ８１７の処理の後、システム制御部５０はテーブルナンバー（Ｎ）と図５（ａ）〜図５（ｃ）に示すいずれかのテーブルとに基づいてシャッター速度を求めて、当該シャッター速度を新たなシャッター速度として設定する（Ｓ８２０）。そして、システム制御部５０はシャッター速度変更処理を終了する。なお、Ｓ８１９の処理の後、システム制御部５０はＳ８２０の処理に進む。
【０１３１】
Ｓ８１６において、テーブルナンバー（Ｎ）≦最大テーブルナンバー（Ｎ＿Ｍａｘ）であると（Ｓ８１６において、ＮＯ）、システム制御部５０はＳ８２０の処理に進む。また、Ｓ８１８において、テーブルナンバー（Ｎ）≧最小テーブルナンバー（Ｎ＿Ｍｉｎ）であると（Ｓ８１８において、ＮＯ）、システム制御部５０はＳ８２０の処理に進む。
【０１３２】
このようにして、シャッター速度を変更することによって、ユーザーが設定した露出設定ステップ（段数）に基づいてシャッター速度を設定することができる。
【０１３３】
このように、本発明の第１の実施形態では、動画ライブビューを表示している状態においては、露出設定ステップに応じてシャッター速度が設定される。この際、動画フレームレートの逆数であるシャッター速度については、露出設定ステップに拘わらず設定することができる。また、動画ライブビューが表示されていない状態では、シャッター速度は露出設定ステップに従って設定される。この結果、動画撮影および静止画撮影に拘わらずユーザー所望のシャッター速度を設定することができる。
【０１３４】
［第２の実施形態］
次に、本発明の第２の実施形態によるカメラの一例について説明する。なお、第２の実施形態によるカメラの構成は図１および図２に示すカメラと同様である。
【０１３５】
上述の第１の実施形態においては、動画ライブビューが表示されている状態においても、静止画撮影の際のシャッター速度の段数刻みと同一の段数刻みが用いられる。そして、この際に、長秒側の限界値のみ段数刻みに則らない値（フレームレートの逆数又は近傍値）とする。
【０１３６】
一方、第２の実施形態においては、後述するように、動画ライブビューが表示されている状態では、静止画撮影の際のシャッター速度の段数刻みと同一の段数刻みを用いない。そして、第２の実施形態では、設定可能なフレームレートの逆数又は逆数近傍値を含む段数刻みを用いる。例えば、動画ライブビューが表示されている状態となると、１／２５秒（２５ｆｐｓの逆数および２４ｆｐｓの逆数の短秒側近傍値）と１／５０秒（５０ｆｐｓの逆数）とを設定可能なシャッター速度に含む１／４段刻みのシャッター速度を用いる。
【０１３７】
なお、動画ライブビューが表示されている状態では、設定可能なシャッター速度は、１／４段刻みのシャッター速度に則った値で、かつ設定された動画のフレームレートの逆数以下の値となる。
【０１３８】
図９Ａおよび図９Ｂは、本発明の第２の実施形態によるカメラで行われる撮影モード処理を説明するためのフローチャートである。
【０１３９】
なお、図示のフローチャートに係る処理は、不揮発性メモリ５６に記録されたプログラムをシステムメモリ５２に展開してシステム制御部５０が実行することによって行われる。また、図９Ａおよび図９Ｂに示すフローチャートにおいて、図３Ａおよび図３Ｂに示すフローチャートのステップ同一のステップについて同一の参照符号を付して説明を省略する。
【０１４０】
システム制御部５０は、Ｓ３０３においてシャッター速度チェック処理を行った後、Ｓ３０６の処理に進む。つまり、動画ライブビューが表示された状態では、システム制御部５０は露出設定ステップの変更操作を受けつけない（図３Ａに示すＳ３０４およびＳ３０５の処理は行われない）。これによって、動画ライブビューが表示された状態では、システム制御部５０は露出設定ステップを１／４段刻みとして、他の段数刻みを用いないようにする。
【０１４１】
Ｓ３０７において、シャッター速度変更操作があると（Ｓ３０７において、ＹＥＳ）、システム制御部５０は、後述するようにして、１／４段刻みでシャッター速度変更処理を行う（Ｓ９０８）。その後、システム制御部５０はＳ３０９の処理に進む。
【０１４２】
なお、Ｓ３１０の処理で設定されるシャッター速度は、設定ステップが１／４段に則った値で、かつ設定された動画のフレームレートの逆数以下で最も大きい値となる。例えば、フレームレートが２４ｆｐｓである場合には、シャッター速度は１／２５秒に設定されることになる。
【０１４３】
図１０は、図９Ａに示す１／４段刻みのシャッター速度変更処理を説明するためのフローチャートである。なお、図示のフローチャートに係る処理は、不揮発性メモリ５６に記録されたプログラムをシステムメモリ５２に展開してシステム制御部５０が実行することによって行われる。
【０１４４】
１／４段刻みのシャッター速度変更処理を開始すると、システム制御部５０は、設定したシャッター速度（現状ＴＶ値）を不揮発性メモリ５６から読み出して取得する（Ｓ１０００）。
【０１４５】
図１１は、１／４段刻みでシャッター速度の変更を行う際に用いられるテーブルの一例を示す図である。なお、図１１に示すテーブルは、予め不揮発性メモリ５６に記録されている。
【０１４６】
続いて、システム制御部５０は、図１１に示すテーブルから、Ｓ１０００で読み出したシャッター速度に対応するテーブルナンバー（Ｎ）を得る（Ｓ１００１）。そして、システム制御部５０は、図１１に示すテーブルから、１／４段刻みで設定可能な最小のシャッター速度に対応するテーブルナンバー（Ｎ＿Ｍｉｎ）を得る（Ｓ１００２）。さらに、システム制御部５０は、図１１に示すテーブルから、１／４段刻みで設定可能な最大のシャッター速度に対応するテーブルナンバー（Ｎ＿Ｍａｘ）を得る（Ｓ１００３）。
【０１４７】
続いて、システム制御部５０はメイン電子ダイヤル２０２の回転方向が正転方向（時計回り：右）であるか否かを判定する（Ｓ１００４）。メイン電子ダイヤル２０２の回転方向が正転方向であると（Ｓ１００４において、ＹＥＳ）、システム制御部５０はテーブルナンバー（Ｎ）をインクリメントして、Ｎ＝Ｎ＋１とする（Ｓ１００５）。
【０１４８】
一方、メイン電子ダイヤル２０２の回転方向が反転方向（反時計回り：左）であると（Ｓ１００４において、ＮＯ）、システム制御部５０はテーブルナンバー（Ｎ）をデクリメント、Ｎ＝Ｎ−１とする（Ｓ１００６）。
【０１４９】
Ｓ１００５の処理の後、システム制御部５０は、テーブルナンバー（Ｎ）＞最大テーブルナンバー（Ｎ＿Ｍａｘ）であるか否かを判定する（Ｓ１００７）。テーブルナンバー（Ｎ）＞最大テーブルナンバー（Ｎ＿Ｍａｘ）であると（Ｓ１００７において、ＹＥＳ）、システム制御部５０はテーブルナンバー（Ｎ）をデクリメントして、Ｎ＝Ｎ−１とする（Ｓ１００８）。
【０１５０】
Ｓ１００７の処理の後、システム制御部５０は、テーブルナンバー（Ｎ）＜最小テーブルナンバー（Ｎ＿Ｍｉｎ）であるか否かを判定する（Ｓ１００９）。テーブルナンバー（Ｎ）＜最小テーブルナンバー（Ｎ＿Ｍｉｎ）であると（Ｓ１００９において、ＹＥＳ）、システム制御部５０はテーブルナンバー（Ｎ）をインリメントして、Ｎ＝Ｎ＋１とする（Ｓ１０１０）。
【０１５１】
Ｓ１００８の処理の後、システム制御部５０はテーブルナンバー（Ｎ）と図１１に示すテーブルとに基づいてシャッター速度を求めて、当該シャッター速度を新たなシャッター速度として設定する（Ｓ１０１１）。そして、システム制御部５０はシャッター速度変更処理を終了する。なお、Ｓ１０１０の処理の後、システム制御部５０はＳ１０１１の処理に進む。
【０１５２】
Ｓ１００７において、テーブルナンバー（Ｎ）≦最大テーブルナンバー（Ｎ＿Ｍａｘ）であると（Ｓ１００７において、ＮＯ）、システム制御部５０はＳ１０１１の処理に進む。また、Ｓ１００９において、テーブルナンバー（Ｎ）≧最小テーブルナンバー（Ｎ＿Ｍｉｎ）であると（Ｓ１００９において、ＮＯ）、システム制御部５０はＳ１０１１の処理に進む。
【０１５３】
このように、本発明の第２の実施形態では、動画ライブビューを表示している状態においては、一律に１／４段刻みでシャッター速度が設定される。これによって、動画フレームレートに拘わらず、フレームレートの逆数又は逆数の近傍値にシャッター速度を設定することができる。そして、動画ライブビューを表示していない状態では、ユーザーによって設定された露出設定ステップに応じてシャッター速度が設定される。この結果、動画撮影および静止画撮影に拘わらずユーザー所望のシャッター速度を設定することができる。
【０１５４】
上述の説明から明らかなように、図１に示す例においては、システム制御部５０およびモード切替スイッチ６０がモード設定手段として機能する。また、操作部７０およびシステム制御部５０は露出ステップ設定手段として機能し、システム制御部５０はフレームレート設定手段、シャッター速度設定手段、および制御手段として機能する。
【０１５５】
なお、システム制御部５０の制御は１つのハードウェアが行ってもよいし、複数のハードウェアが処理を分担することで、装置全体の制御を行ってもよい。
【０１５６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１５７】
また、上述した実施形態においては、本発明をデジタルカメラに適用した場合を例にして説明したが、これはこの例に限定されず、動画および静止画を撮影する機能を有する電子機器であれば適用可能である。すなわち、本発明はパーソナルコンピュータやＰＤＡ、携帯電話端末や携帯型の画像ビューワ、ゲーム機などに適用可能である。
【０１５８】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１５９】
４  レンズシステム制御回路
１１  焦点検出部
１２  ミラー
１５  メモリ制御部
２２  撮像部
２４  画像処理部
５０  システム制御部
６０  モード切替スイッチ
６１  シャッターボタン
１０１  シャッター
【図１】
0006548501.tif 000002
【図２】
0006548501.tif 000003
【図３Ａ】
0006548501.tif 000004
【図３Ｂ】
0006548501.tif 000005
【図４】
0006548501.tif 000006
【図５】
0006548501.tif 000007
【図６】
0006548501.tif 000008
【図７】
0006548501.tif 000009
【図８】
0006548501.tif 000010
【図９Ａ】
0006548501.tif 000011
【図９Ｂ】
0006548501.tif 000012
【図１０】
0006548501.tif 000013
【図１１】
0006548501.tif 000014